(57)【特許請求の範囲】
【請求項１】
収納家具または収納建具の一部を構成するボックスティシュー収納であって、
前面が開口し、その内部にボックスティシュー(Ｂ)を収納するボックス型の収納本体(１２)と、この収納本体(１２)前面の開口を開閉する扉体(１４)とを具備すると共に、
上記の収納本体(１２)における一方の側板(１２ｃ)には、その側板(１２ｃ)に面する上記ボックスティシュー(Ｂ)からティシュペーパー(Ｔ)が取り出し可能なティシュー取出し長孔(１７)が開設されており、
上記のティシュー取出し長孔(１７)が設けられた側板(１２ｃ)に水平方向にて隣接する収納部(３２)を開閉する扉体(１５)には、その下辺が上記の収納本体(１２)の底板(１２ａ)の高さ位置まで伸長され、上記ティシュー取出し長孔(１７)から突出する上記ティシュペーパー(Ｔ)を正面から視認できないように隠蔽する目隠し部(１５ａ)が形成される、ことを特徴とするボックスティシュー収納。
【請求項２】
収納家具または収納建具の一部を構成するボックスティシュー収納であって、
前面が開口し、その内部にボックスティシュー(Ｂ)を収納するボックス型の収納本体(１２)と、この収納本体(１２)前面の開口を開閉する扉体(１４)とを具備すると共に、
上記の収納本体(１２)における一方の側板(１２ｃ)には、その側板(１２ｃ)に面する上記ボックスティシュー(Ｂ)からティシュペーパー(Ｔ)が取り出し可能なティシュー取出し長孔(１７)が開設されており、
上記の扉体(１４)には、その側部が上記の一方の側板(１２ｃ)を越えて幅方向に伸長され、上記ティシュー取出し長孔(１７)から突出する上記ティシュペーパー(Ｔ)を正面から視認できないように隠蔽する目隠し部(１５ａ)が形成される、ことを特徴とするボックスティシュー収納。
【発明の詳細な説明】
【技術分野】
【０００１】
本発明は、多枚数のティシュペーパーをポップアップ方式にて１組ずつ取り出せるように紙箱やフィルムなどで梱包したボックスティシューを、見映え良く多数ストックして置くことが可能なボックスティシュー収納に関する。なお、本発明で言う「ティシュペーパー」とは、いわゆるフェイシャルティシューに限定されるものではなく、例えばキッチンペーパーや紙・不織布ワイパーなどをも含む広義のものである。
【背景技術】
【０００２】
この種の収納には、従来では、下記の特許文献１(実用新案登録第２５４２４８５号公報)に記載されたものがある。その従来技術は、次のように構成されている。
前面を残して壁面に埋め込まれて設置される埋込型化粧品棚において、化粧品棚本体の下側に凹所が連続して設けられ、凹所には、奥部の上下略中央部に支持部が突設される。この支持部の前方に外側に膨らんだ形状の前蓋を回動自在に支持する枢軸が水平に横架され、この枢軸と上記支持部とに跨ってティッシュボックス(＝ボックスティシュー)が、内部のティシュペーパーを下方引き出し可能にその上下を反転させて、前蓋で覆われた凹所内に収納保持される。
【０００３】
かかる技術によれば、ティッシュボックスを逆さにして収納部内の支持部と枢軸とに跨って静置するようにしたことにより、ティッシュ収納部の前蓋の開動を全く必要とせず、そのまま下方から順次ティシュペーパーを取り出すことが可能であり、また、前蓋を前方へ膨出させたことにより、壁面埋設タイプのものであっても、ティッシュボックスを完全に収納することができる。
【先行技術文献】
【特許文献】
【０００４】
【特許文献１】実用新案登録第２５４２４８５号公報
【発明の概要】
【発明が解決しようとする課題】
【０００５】
しかしながら、上記の従来技術には次の問題がある。すなわち、ティッシュ収納部内のティッシュボックスより引き出されたティシュペーパーが正面から視認できる状態で露出しているので、見映えが悪いと言う問題があった。
それゆえに、本発明の主たる課題は、複数のボックスティシューを見映えよく収納できるのはもとより、扉を開けずにその内部に収納したボックスティシューからティシュペーパーを取り出すことができ、ボックスティシューから引き出されたティシュペーパーが正面から視認できないように隠蔽して美観を維持することが可能なボックスティシュー収納を提供することである。
【課題を解決するための手段】
【０００６】
上記の課題を達成するため、本発明は、例えば、図１〜２に示すように、ボックスティシュー収納を次のように構成した。
すなわち、収納家具または収納建具の少なくとも一部を構成するボックスティシュー収納であって、前面が開口し、その内部にボックスティシューＢを収納するボックス型の収納本体１２と、この収納本体１２前面の開口を開閉する扉体１４とを具備する。上記の収納本体１２の底板１２ａには、その底板１２ａに面する上記ボックスティシューＢからティシュペーパーＴが取り出し可能なティシュー取出し長孔１６が開設される。また、上記の扉体１４には、その下部が上記の底板１２ａよりも下方に伸長され、上記ティシュー取出し長孔１６から垂下する上記ティシュペーパーＴを正面から視認できないように隠蔽する目隠し部１４ａが形成される。
【０００７】
本発明では、収納本体１２の底板１２ａに、その底板１２ａに面するボックスティシューＢからティシューペーパーＴを取り出し可能なティシュー取出し長孔１６が開設されているので、収納本体１２内に複数のボックスティシューＢを収納し、扉体１４を閉じた後、その扉体１４を開けることなく、ティシュー取出し長孔１６からティシュペーパーＴを取り出すことができる。また、かかる場合において、扉体１４の下部には目隠し部１４ａが設けられているので、ティシュー取出し長孔１６から垂下するティシュペーパーＴが正面から視認されて美観が損なわれるのを防ぐことができる。
【０００８】
本発明においては、前記の収納本体１２の底板１２ａの上面に、上記の収納本体１２の側板１２ｃまたは背板１２ｄと協働して、前記ティシュー取出し長孔１６上に配置された前記ボックスティシューＢが、前記ティシュペーパーＴ取り出しの際に移動しないよう固定する固定部材１８を取り付けるのが好ましい。
この場合、ティシュー取出し長孔１６を介して収納本体１２内に収容されたボックスティシューＢからティシュペーパーＴを取り出す(引き出す)際に、より安定してスムーズにティシュペーパーＴを取り出すことができる。
【０００９】
本発明のおける第２の発明は、例えば、図３に示すように、ボックスティシュー収納を次のように構成した。
すなわち、収納家具または収納建具の一部を構成するボックスティシュー収納であって、前面が開口し、その内部にボックスティシューＢを収納するボックス型の収納本体１２と、この収納本体１２前面の開口を開閉する扉体１４とを具備する。上記の収納本体１２における一方の側板１２ｃには、その側板１２ｃに面する上記ボックスティシューＢからティシュペーパーＴが取り出し可能なティシュー取出し長孔１７が開設される。また、上記のティシュー取出し長孔１７が設けられた側板１２ｃに水平方向にて隣接する収納部３２を開閉する扉体１５には、その下辺が上記の収納本体１２の底板１２ａの高さ位置まで伸長され、上記ティシュー取出し長孔１７から突出する上記ティシュペーパーＴを正面から視認できないように隠蔽する目隠し部１５ａが形成される。
【００１０】
本発明のおける第３の発明は、例えば、図４に示すように、ボックスティシュー収納を次のように構成した。
すなわち、収納家具または収納建具の一部を構成するボックスティシュー収納であって、前面が開口し、その内部にボックスティシューＢを収納するボックス型の収納本体１２と、この収納本体１２前面の開口を開閉する扉体１４とを具備する。上記の収納本体１２における一方の側板１２ｃには、その側板１２ｃに面する上記ボックスティシューＢからティシュペーパーＴが取り出し可能なティシュー取出し長孔１７が開設される。また、上記の扉体１４には、その側部が上記の一方の側板１２ｃを越えて幅方向に伸長され、上記ティシュー取出し長孔１７から突出する上記ティシュペーパーＴを正面から視認できないように隠蔽する目隠し部１５ａが形成される。
【発明の効果】
【００１１】
本発明によれば、複数のボックスティシューを見映えよく収納できるのはもとより、扉を開けずにその内部に収納したボックスティシューからティシュペーパーを取り出すことができ、ボックスティシューから引き出されたティシュペーパーが正面から視認できないように隠蔽して美観を維持することが可能なボックスティシュー収納を提供することができる。
【図面の簡単な説明】
【００１２】
【図１】本発明における一実施形態(第１の実施形態)のボックスティシュー収納が採用された壁面収納の要部を示す正面図である。
【図２】図１におけるＡ−Ａ線拡大断面図である。
【図３】本発明における他の実施形態(第２の実施形態)のボックスティシュー収納が採用された壁面収納の要部を示す正面図である。
【図４】本発明における他の実施形態(第３の実施形態)のボックスティシュー収納が採用された壁面収納の要部を示す正面図である。
【発明を実施するための形態】
【００１３】
以下、本発明の実施形態を図面を用いて説明する。図１は、本発明における第１の実施形態のボックスティシュー収納１０が採用された壁面収納５０の要部を示す正面図である。この図が示すように、収納建具の一種であり壁面Ｗ上に設けられる壁面収納５０は、その高さ方向全体に伸ばされた左右一対の側板２０ａと、高さ方向に複数設けられる棚板２０ｂと、最上部に取り付けられる扉体２０ｃとで構成された左端収納２０，中央に設置される平面ディスプレイＭの上方に設けられ、その前面に開閉可能な扉体２２ａが取り付けられた中央収納部２２，および左端収納２０と中央収納部２２との間に挟まれた本発明のボックスティシュー収納１０を有する。そして、そのボックスティシュー収納１０は、収納本体１２，扉体１４，ティシュー取出し長孔１６及び必要に応じて取り付けられる固定部材１８で大略構成される。
なお、本明細書全体を通して、ティシュペーパーＴは、いわゆる一般的なフェイシャルティシューのみならず、薄葉な紙状体の全般、例えば、キッチンペーパーやダスターなども含む概念である。このため、これらの紙状体がポップアップ方式にて１組(又は１枚)ずつ取り出せるように紙箱やフィルムなどで梱包されたものがボックスティシューＢとなる。
【００１４】
収納本体１２は、前面が開口し、その内部にボックスティシューＢを収納するボックス型の部材で、底板１２ａ，天板１２ｂ，左右一対の側板１２ｃ及び背板１２ｄで構成される。これらの各板１２ａ〜１２ｄを構成する材料は、特に限定されるものではなく、木材、樹脂、金属などを用いることができる。
【００１５】
底板１２ａは、収納本体１２内に収納するボックスティシューＢが載置される板材で、そのボックスティシューＢが載置される所定の箇所に、ティシュー取出し口が下向きとなるように載置されたボックスティシューＢからティシュペーパーＴを取り出すためのティシュー取出し長孔１６が開設される。なお、図１で示す実施形態では、ボックスティシューＢの長手方向側面が、正面視で右側の側板１２ｃに当接するようにして縦積みされるため、ティシュー取出し長孔１６は、その長手方向が側板１２ｃの奥行き方向と略平行する状態で、右側の側板１２ｃ側へと寄せられた位置に設けられている。また、図２に示すように、ティシュー取出し長孔１６の縁には、必要に応じて樹脂製の保護カバーが取り付けられる。
【００１６】
ここで、図示実施形態のボックスティシュー収納１０では、正面視で右側の側板１２ｃと協働して、ボックスティシューＢをその長手方向側面側から挟み込み、ティシュペーパーＴ取り出しの際に当該ボックスティシューＢが移動しないよう固定する固定部材１８として、底板１２ａ上に棚ダボ状のピンが奥行き方向に３カ所立設されている。なお、この固定部材１８は、収納本体１２の側板１２ｃまたは背板１２ｄと協働して、ティシュー取出し長孔１６上に配置されたボックスティシューＢがティシュペーパーＴ取り出しの際に移動しないよう固定できるのものであれば、その態様は上述のものに限定されるものではなく、例えば板状のものなど、如何なる態様であってもよい。
また、この固定部材１８は、上述したように必要に応じて設けられるものであるから、例えば、図示しないが、収納本体１２の幅をボックスティシューＢの幅と同等かやや大きくなるように設定した場合には不要となる。なお、このような場合、収納本体１２を開閉する扉体１４は、隣接する収納部の開閉扉を兼ねてもよい。換言すれば、扉体１４が開閉する収納部の一部にボックスティシュー収納１０の収納本体１２を設けるようにしてもよい。
【００１７】
側板１２ｃは、収納本体１２の左右を形成する板材で、図示実施形態では、後述する扉体１４の縦方向長さに合わせるべく、底板１２ａの位置よりも下方へ伸ばされて形成される。また、左右一対設けられた側板１２ｃの互いに対向する内側面には、前後一対のダボ穴２６が高さ方向全体に亘って所定の間隔を置いて複数段設けられている。このため、このダボ穴２６に棚ダボ(図示せず)を埋め込むことにより、ボックスティシュー収納１０に棚板を追加することができる。また、底板１２ａの固定にこのダボ穴２６(およびこれに取着する棚ダボ)を用いることによって、底板１２ａの設置高さを変更することもできる。
【００１８】
また、左右一対の側板１２ｃの上端部には天板１２ｂが架設されており、この天板１２ｂの後端には略Ｌ字状の連結部材２８を介して背板１２ｄが固定されている。そして、以上のように構成された収納本体１２の前面開口には、扉体１４が取り付けられる。
【００１９】
扉体１４は、収納本体１２前面の開口を開閉する板状の部材で、木材などの木質材料や樹脂或いは金属などで形成される。この扉体１４は、一方の側板１２ｃの前端に取り付けられたヒンジ３０を介して、収納本体１２前面に回動自在にて取り付けられる。
【００２０】
また、この扉体１４には、その下部が底板１２ａよりも下方に伸長され、ティシュー取出し長孔１６から垂下するティシュペーパーＴが正面から視認されないように隠蔽する、目隠し部１４ａが形成されている。
【００２１】
以上のように構成されたボックスティシュー収納１０を設置する際には、各部材を施工現場で組み立てた後、壁面Ｗに取り付ける。或いは、各部材を壁面Ｗ上で組み立てていってもよいし、予め工場などで組み立てたボックスティシュー収納１０を壁面Ｗに設置するようにしてもよい。
【００２２】
本実施形態のボックスティシュー収納１０によれば、収納本体１２の底板１２ａに、その底板１２ａに面するボックスティシューＢからティシューペーパーＴを取り出し可能なティシュー取出し長孔１６が開設されているので、収納本体１２内に複数のボックスティシューＢを収納し、扉体１４を閉じた後、その扉体１４を開けることなく、ティシュー取出し長孔１６からティシュペーパーＴを取り出すことができる。そして、かかる場合において、扉体１４の下部には目隠し部１４ａが設けられているので、ティシュー取出し長孔１６から垂下するティシューペーパーＴが正面から視認されて美観が損なわれるのを防ぐことができる。
また、収納本体１２の底板１２ａ上面の所定位置に固定部材１８が取り付けられているので、ティシュー取出し長孔１６を介して収納本体１２内に収容されたボックスティシューＢからティシュペーパーＴを取り出す際に、より安定してスムーズにティシュペーパーＴを取り出すことができる。
【００２３】
なお、上述の実施形態では、ボックスティシュー収納１０が収納建具の一種である壁面収納５０の一部を構成する場合を示したが、このボックスティシュー収納１０を収納建具のみならず収納家具の一部とするようにしてもよい。また、ボックスティシュー収納１０のみを単体で収納家具或いは収納建具として設置するようにしてもよい。
【００２４】
また、扉体１４がヒンジ３０を介して一方の側板１２ｃに取り付けられる場合を示したが、この扉体１４は収納本体１２前面の開口を開閉できるものであれば、その取付態様は如何なるものであってもよく、例えば、図示しないヒンジを介して天板１２ｂの前面に取り付けるようにしてもよい。
【００２５】
また、上述の実施形態では、ボックスティシュー収納１０に収納するボックスティシューＢをそのまま積み重ねて収納する場合を示しているが、ボックスティシューＢの交換がし易いように、最下段のボックスティシューＢと下から２段目のボックスティシューＢとの間に隙間を設けるべく、(図示しないが)仕切り板や棚板などを設けるようにしてもよい。
その他に、当業者が想定できる範囲で種々の変更を行えることは勿論である。
【００２６】
次に、図３に示す本発明の第２の実施形態のボックスティシュー収納１０について説明する。上述した第１の実施形態のものと異なる部分は、ボックスティシュー収納１０が設けられていた部分に中央左側収納部３２が設けられ、中央収納部２２の下側にボックスティシュー収納１０が連設させると共に、ティシュー取出し長孔１７がボックスティシュー収納１０における収納本体１２の側板１２ｃに設けられ、中央左側収納部３２の扉体１５に目隠し部１５ａが設けられる点である。なお、これら以外の点については、上述した第１実施形態と同じであるため、上記の第１実施形態の説明を援用して本実施形態の説明に代える。
【００２７】
中央左側収納部３２は、中央収納部２２と対称を成すように構成されており、この中央左側収納部３２の底板３２ｂは、中央収納部２２とボックスティシュー収納部１０とを区画するボックスティシュー収納１０の天板１２ｂと同じ高さに設けられている。また、この中央左側収納部３２と中央収納部２２とを区画する側板３２ａは、底板３２ｂを越えて下方へと伸ばされた部分がボックスティシュー収納１０の一方の側板１２ｃとなっている。このため、この中央左側収納部３２は、「ティシュー取出し長孔１７が設けられた側板１２ｃに水平方向にて隣接する収納部３２」に該当する。
ここで、本実施形態では、中央左側収納部３２の正面に取り付けられた扉体１５と、中央収納部２２に取り付けられた扉体２２ａとは、観音開きとなるように構成されている。
【００２８】
ボックスティシュー収納１０は、中央収納部２２の直下に連設される。このボックスティシュー収納１０の高さは、横置きしたボックスティシューＢを上下に隙間無く収納できる高さとするのが好ましい。なお、ボックスティシュー収納１０の幅と奥行きは中央収納部２２のものと同じであり、特にその奥行きは、ボックスティシューＢの長手方向を収納できるサイズとなっている。また、このボックスティシュー収納１０の直上に位置する中央収納部２２を開閉する扉体２２ａは、その下部がボックスティシュー収納１０の底板１２ａの位置まで伸長され、この伸長された部分が収納本体１２を開閉する扉体１４として機能している。
【００２９】
この第２の実施形態のボックスティシュー収納１０が上述した第１の実施形態のものと大きく異なる点は、収納本体１２内に収納したボックスティシューＢからティシュペーパーＴを取り出すためのティシュー取出し長孔１７が側板１２ｃに設けられると共に、扉体１５が扉体２２ａと同じ高さとなるようにその下側が伸ばされて、その伸長した部分が、ティシュー取出し長孔１７から突出するティシュペーパーＴを正面から視認できないように隠蔽する目隠し部１５ａとなっている。
【００３０】
この第２の実施形態のボックスティシュー収納１０においても、収納本体１２内に複数のボックスティシューＢを収納し、扉体１４を閉じた後、その扉体１４を開けることなく、ティシュー取出し長孔１７からティシュペーパーＴを取り出すことができる。そして、かかる場合において、扉体１５の下部には目隠し部１５ａが設けられているので、ティシュー取出し長孔１７から突出するティシューペーパーＴが正面から視認されて美観が損なわれるのを防ぐことができる。
【００３１】
次に、図４に示す本発明の第３の実施形態のボックスティシュー収納１０について説明する。上述した第２の実施形態のものと異なる部分は、中央左側収納部３２と中央収納部２２とを区画する側板３２ａからボックスティシュー収納１０の一方の側板１２ｃが(機能的にも形態的にも)分離され、ボックスティシュー収納１０の収納本体１２の幅が中央収納部２２の幅より狭く形成されるのに加え、中央左側収納部３２の底板３２ｂの高さがボックスティシュー収納１０における収納本体１２の底板１２ａと同じ高さに揃えられる、つまり、中央左側収納部３２の高さが中央収納部２２にボックスティシュー収納１０を加えた高さと等しくなるように形成されている点である。なお、これら以外の点については、上述した第２実施形態と同じであるため、上記の第２実施形態の説明を援用して本実施形態の説明に代える。
【００３２】
上述したように、中央左側収納部３２と中央収納部２２とを区画する側板３２ａからボックスティシュー収納１０の一方の側板１２ｃが分離され、ボックスティシュー収納１０の収納本体１２の幅が中央収納部２２の幅より狭く形成されることから、図４に示す実施形態では、正面視で扉体１４の左下部に、当該扉体１４の側部が収容本体１２の一方の側板１２ｃを越えて幅方向に伸長された目隠し部１５ａが形成されることとなる。
【００３３】
この第３の実施形態のボックスティシュー収納１０においても、収納本体１２内に複数のボックスティシューＢを収納し、扉体１４を閉じた後、その扉体１４を開けることなく、ティシュー取出し長孔１７からティシュペーパーＴを取り出すことができる。そして、かかる場合において、扉体１４の左下部には目隠し部１５ａが設けられているので、ティシュー取出し長孔１７から突出するティシューペーパーＴが正面から視認されて美観が損なわれるのを防ぐことができる。
【符号の説明】
【００３４】
１０…ボックスティシュー収納
１２…収納本体
１２ａ…底板
１２ｃ…側板
１２ｄ…背板
１４，１５…扉体
１４ａ，１５ａ…目隠し部
１６，１７…ティシュー取出し長孔
１８…固定部材
Ｂ…ボックスティシュー
Ｔ…ティシュペーパー
【要約】
【課題】複数のボックスティシューを見映えよく収納でき、扉を開けずにその内部に収納したボックスティシューからティシュペーパーを取り出すことができると共に、ボックスティシューから引き出されたティシュペーパーが正面から視認できないように隠蔽可能なボックスティシュー収納を提供する。
【解決手段】収納家具または納建具の少なくとも一部を構成するボックスティシュー収納であって、前面が開口したボックス型の収納本体(１２)と、この収納本体(１２)前面の開口を開閉する扉体(１４)とを具備する。収納本体(１２)の底板(１２ａ)には、その底板(１２ａ)に面するボックスティシュー(Ｂ)からティシューペーパー(Ｔ)が取り出し可能なティシュー取出し長孔(１６)が開設される。扉体(１４)には、その下部が底板(１２ａ)よりも下方に伸長され、ティシュー取出し長孔(１６)から垂下したティシュペーパー(Ｔ)を隠蔽する目隠し部(１４ａ)が形成される。
【選択図】図１【図１】
0006795663.tif 000002
【図２】
0006795663.tif 000003
【図３】
0006795663.tif 000004
【図４】
0006795663.tif 000005